(57)【要約】【課題】  耐摩耗性を向上させるとともに、スパイクとしての使用感を向上させ、同時にスパイク交換時の判断も容易になる履き物底への取付付属品を提供すること。【解決手段】  上記課題を解決するため、本発明は、履物底への装着付属品に次の手段を採用する。  第１に、履物底本体に接地面に作用するよう装着される付属品とする。  第２に、硬質金属による突起部を設けた中央部材を用いる。  第３に、中央部材より軟質な材料からなる突起部を設けた周辺部材を用いる。【選択図】        図１
2005237517.tif 000002
【特許請求の範囲】
【請求項１】
履物底本体に接地面に作用するよう装着される付属品において、硬質金属による突起部を設けた中央部材と、中央部材より軟質な材料からなる突起部を設けた周辺部材よりなる履物底への装着付属品。
【請求項２】
中央部材が、履物底装着面側にねじ部を形成し、接地面側に中央スパイクピンを形成したものである請求項１記載の履物底への装着付属品。
【請求項３】
中央部材と周辺部材が、異なる色彩とされた請求項１または２記載の履物底への装着付属品。
【請求項４】
周辺部材の履物底装着面側に略く字型緩み止め突起を形成したものである請求項１または２または３記載の履物底への装着付属品。
【発明の詳細な説明】
【技術分野】
【０００１】
本発明は、履物底へ装着される付属品の改良に関するもので、主としてゴルフシューズのスパイクを主眼に開発されたものである。
【背景技術】
【０００２】
従来の履物の底面（接地面）に取り付けられる付属品（例えば、スポーツシューズにおけるスパイク等）は、付属品の全体が、金属又は樹脂で製作されていた。しかし、特に樹脂製付属品は耐摩耗性が低く、頻繁に交換する必要が生じ、使用頻度が多い場合には、使用者にとって大変厄介であった。
【０００３】
特許文献１に示すように、樹脂製スパイクにあっても、一部に硬質樹脂突起を用いるなどして、耐摩耗性を上げる工夫がなされていたが、樹脂としての耐摩耗性の低さはカバーできず、更に、スパイクが摩耗した場合の交換時期の判断も難しいものであった。
【０００４】
【特許文献１】特開２００１−８７００４号公報
【発明の開示】
【発明が解決しようとする課題】
【０００５】
本発明は上記課題を解決し、耐摩耗性を向上させるとともに、スパイクとしての使用感を向上させ、同時にスパイク交換時の判断も使用者が容易に行える履き物底への取付付属品を提供することを目的とする。
【課題を解決するための手段】
【０００６】
上記課題を解決するため、請求項１記載の発明は、履物底への装着付属品に次の手段を採用する。
第１に、履物底本体に接地面に作用するよう装着される付属品とする。
第２に、硬質金属による突起部を設けた中央部材を用いる。
第３に、中央部材より軟質な材料からなる突起部を設けた周辺部材を用いる。
【０００７】
請求項２記載の発明は、請求項１記載の発明の改良に関するもので、中央部材が、履物底の装着面側にねじ部を形成し、接地面側に中央スパイクピンを形成したものである請求項１記載の履物底への装着付属品である。
【０００８】
請求項３記載の発明は、色彩効果を目指したもので、中央部材と周辺部材が、異なる色彩とされた請求項１または２記載の履物底への装着付属品である。
【０００９】
請求項４記載の発明は、周辺部材の履物底装着面側に略く字型緩み止め突起を形成したものである請求項１または２または３記載の履物底への装着付属品である。
【発明の効果】
【００１０】
請求項１記載の発明は、第１に、硬質金属による突起部を設けた中央部材を用いるため、履物底への装着付属品として樹脂製のものと比べて耐摩耗性を向上させることができた上、装着もしっかりしたものとなった。
【００１１】
その上、中央部材より軟質な材料からなる突起部を設けた周辺部材を用いるため、使用時に中央部材が接地面に食い込んだ場合に、周辺部材が広がるように変形しながら接地面を捉えるため確実なスパイク効果を発揮することができる。特に、ゴルフシューズなどに利用した場合に、斜面での足の位置決めと安定感をえるのに非常に効果を挙げることができた。
【００１２】
更に、軟質材料である周辺部材が摩耗してくると、硬質金属の中央部材の突起部のみが出っ張り地面に接地し、足裏にその感覚を感じるため、履物底の装着付属品の交換時期を使用者自らが容易に認識することができるものとなった。
【００１３】
請求項２記載の発明は、中央部材が、履物底装着面側にねじ部を形成し、接地面側に中央スパイクピンを形成したものである中央スパイクピンが耐久性のあるものとなるのみならず、装着部となるねじ部と中央スパイクピンを一体化することができ、周辺部材の摩耗の関知をより容易なものとすることができた。
【００１４】
昨今のゴルフシューズ等にあっては、カラフルなデザインが好まれるようになり、スパイクピンにもその傾向が強い。請求項３記載の発明にあっては、中央部材と周辺部材が、異なる色彩とするものであるので、多様な色彩デザインに対応できる。
【００１５】
請求項４記載の発明にあっては、周辺部材の履物底装着面側に略く字型緩み止め突起を形成したので、当該履物の使用時に周辺部材が回転してはずれやすくなることが防止できた。しかし、この部分は中央部材より軟質の材料でできているため、取り外し時の大きな力ならば回転することがで、取り外しのじゃまとならない。
【発明を実施するための最良の形態】
【００１６】
以下、図面に従って、実施例と共に本発明を実施するための最良の形態について説明する。図１は、本発明の第１実施例に係る複合スパイクの接地面側平面図であり、図２は、同複合スパイクの断面図であり、図３は、同複合スパイクの装着面側底面図である。
【００１７】
図１乃至３中の符号１は、複合スパイクであって、複合スパイク１は、図７乃至８に示されるような硬質金属によりなる中央部材２と、図４乃至６に示されるような中央部材１より軟質の合成樹脂によりなる周辺部材３とにより構成される。
【００１８】
周辺部材３は、中央部材１よりも軟質の材料、実施例では、図４に示されるような軟質樹脂にてなる円盤状のものである。周辺部材３の接地面側の外周の均等区分の所定位置には、図４に示すように４個の外側樹脂突起５が、接地面側に向かって立設され、外側樹脂突起５のやや内側の均等区分の所定位置に４個の内側樹脂突起６が立設されている。外側樹脂突起５と内側樹脂突起６はほぼ同じ高さを有しており、両突起５，６が、周辺スパイクピンとなる。
【００１９】
周辺部材３の中央には図４乃至６に示されるように、中央部材２のねじ部９が通過する通過穴７があけられている。なお、通過穴７の周辺の平面部８は、中央部材１の係止板１０の係止面となる。この平面部８により周辺部材３は、中央部材２に挟持され靴底に固定装着される。なお、平面部８に存在する２個の小径円穴は、複合スパイク１の取付及び取り外しの際に利用するレンチ穴１２である。
【００２０】
また、図６に示されるように周辺部材３の装着面側の底面には、装着回転方向に向かう略くの字型の緩み止め突起１１が形成されている。緩み止め突起１１が、戻る回転方向に開いているため、該緩み止め突起１１が、周辺部材３の靴使用時の緩み方向への回転を押さえている。
【００２１】
中央部材２は、図７に示されるような円盤状の係止板１０に中央スパイクピン１３及びねじ部９を形成した一体もので、硬質金属の材質で作成されている。中央部材２の中央の接地面側に向かっては、硬質金属製の中央スパイクピン１３が形成されている。中央スパイクピン１３の高さは、周辺スパイクピンたる外側樹脂突起５及び内側樹脂突起６の高さとほぼ同じに形成されている。
【００２２】
他方、中央部材２の中央で装着面側に向かっては、履物底への装着用のねじ部９が設けられている。また、係止板１０での、周辺部材３のレンチ穴１２に対応する位置には、同型のレンチ穴２２があけられている。なお、係止板１０の外周にもうけられた切欠部２４は、周辺部材３の内側樹脂突起６の位置決め切欠部である。該切欠部２４と周辺部材３の内側樹脂突起６により、周辺部材３と中央部材２の回転は阻止される。
【００２３】
次に中央部材２と周辺部材３の組み合わせとともに複合スパイク１の靴底への装着方法について説明する。周辺部材３の通過穴７に中央部材２のねじ部９を通し、周辺部材３と中央部材２を組み合わせる。このとき接着剤や樹脂による接合を行っても良い。その後に、ねじ部９を靴底にねじ込み複合スパイク１を靴底に装着するのである。
【００２４】
以上の実施例は、中央部材２が、装着部となるねじ部９と中央スパイクピン１３とが一体のものとして説明したが、図９乃至図１１に示されるように中央ピン部材１５と装着部材１６とに分離されたものであっても良い。
【図面の簡単な説明】
【００２５】
【図１】複合スパイクの接地面側平面図
【図２】複合スパイクの断面図
【図３】複合スパイクの装着面側底面図
【図４】複合スパイクの周辺部材の接地面側平面図
【図５】同周辺部材の断面図
【図６】同周辺部材の装着面側底面図
【図７】中央部材の接地面側平面図
【図８】同中央部材の断面図
【図９】中央部材の他実施例の断面図
【図１０】中央スパイクピンの断面図
【図１１】装着部材の断面図
【符号の説明】
【００２６】
１．．．．．．．．．．複合スパイク
２．．．．．．．．．中央部材
３．．．．．．．．．．周辺部材
５．．．．．．．．．．外側樹脂突起
６．．．．．．．．．．内側樹脂突起
７．．．．．．．．．．通過穴
８．．．．．．．．．．平面部
９．．．．．．．．．．ねじ部
１０．．．．．．．．係止板
１１．．．．．．．．緩み止め突起
１２，２２．．レンチ穴
１３．．．．．．．．中央スパイクピン
１５．．．．．．．．中央ピン部材
１６．．．．．．．．装着部材
２４．．．．．．．．切欠部
【図１】
2005237517.tif 000003
【図２】
2005237517.tif 000004
【図３】
2005237517.tif 000005
【図４】
2005237517.tif 000006
【図５】
2005237517.tif 000007
【図６】
2005237517.tif 000008
【図７】
2005237517.tif 000009
【図８】
2005237517.tif 000010
【図９】
2005237517.tif 000011
【図１０】
2005237517.tif 000012
【図１１】
2005237517.tif 000013